(57)【要約】      （修正有）【課題】直下型の地震によっても倒壊することを防ぐ墓石を提供する。【解決手段】墓石１は、下側台石２と、この上面２２に載せた上側台石３とを備えている。下側台石２には、その底面２１から上面２２に関する２本の第１、第２下側垂直貫通穴２３、２４が形成されている。上側台石３には、第１、第２下側垂直貫通穴２３、２４に対応する部位に、その底面から高さ寸法の２／３以上の長さの第１、第２上側垂直穴３３、３４が形成されている。第１下側垂直貫通穴２３、第１上側垂直穴３３には第１ステンレススチール棒４が下側から差し込まれ、第２下側垂直貫通穴２４、第２上側垂直穴３４には第２ステンレススチール棒５が下側から差し込まれている。【選択図】図２
0003159823.tif 000002
【実用新案登録請求の範囲】
【請求項１】
地盤上に配置した下側台石と、この下側台石の上面に載せた上側台石とを有し、
前記上側台石は、前後方向の厚さ寸法に比べて左右方向の幅寸法および上下方向の高さ寸法が大きい形状の台石であり、
前記下側台石には、その左右方向に離れた部位において、当該下側台石の底面から上面に垂直に延びている少なくとも２本の下側垂直貫通穴が形成されており、
前記上側台石には、前記下側垂直貫通穴のそれぞれに対応する部位において、当該上側台石の底面から上面に向かって垂直に延びる上側垂直穴が形成されており、
前記下側台石の底面から前記上側垂直穴の穴底に至る長さの金属棒が、当該下側台石の底面から前記下側垂直貫通穴を貫通して前記上側垂直穴に差し込まれており、
前記金属棒の下端部には、前記下側垂直貫通穴の穴径よりも大きな金属部材が取り付けられ、この金属部材が前記下側台石の底面に当接していることを特徴とする耐震式の墓石。
【請求項２】
請求項１において、
前記下側台石および前記上側台石は左右対称な形状をしており、
前記下側垂直貫通穴は左右対称の位置に形成された同一内径、同一長さの円形穴であり、
前記上側垂直穴は同一内径、同一長さの円形穴であり、
前記金属棒は同一太さ、同一長さの円柱状のものであることを特徴とする耐震式の墓石。
【請求項３】
請求項１または２において、
前記下側台石の上面と前記上側台石の底面の間はシール材によってシールされていることを特徴とする耐震式の墓石。
【請求項４】
請求項２において、
前記下側台石と前記上側台石の間には中間台石が配置されており、
前記中間台石には、前記下側垂直貫通穴に対応する部位に、当該中間台石の底面から上に貫通する中間垂直貫通穴が形成されており、
前記金属棒は、前記中間垂直貫通穴を貫通していることを特徴とする耐震式の墓石。
【請求項５】
請求項４において、
前記下側台石の上面と前記中間台石の底面の間はシール材によってシールされており、
前記中間台石の上面と前記上側台石の底面の間はシール材によってシールされていることを特徴とする耐震式の墓石。
【請求項６】
請求項１ないし５のうちのいずれかの項において、
前記金属棒はステンレススチール製の丸棒であることを特徴とする耐震式の墓石。
【考案の詳細な説明】
【技術分野】
【０００１】
本考案は、地震、特に直下型の地震によって台石が倒れないようにした耐震式の墓石（洋型墓石および墓誌）に関する。
【背景技術】
【０００２】
墓地には墓石、その付属品として戒名、生前の記録などが刻まれた墓誌が設置されることが多い。洋型墓石や墓誌は、一般に、一定厚さの偏平な直方体形状をした下側台石が横置き状態で地盤面上に設置され、その上面に、偏平な直方体形状をした上側台石が縦置き状態に載っている構造となっている。縦置き状態の上側台石は重心位置が高く、下側台石に接している底面の幅が狭いので、地震等が発生すると倒れやすい。そこで、特許文献１において提案されているように、下側台石の上面と上側台石の底面の間を、ステンレススチール製のボスによって連結固定して倒壊を防止すること考えられる。
【先行技術文献】
【特許文献】
【０００３】
【特許文献１】特開平９−２０９６１０号公報
【考案の開示】
【考案が解決しようとする課題】
【０００４】
上記のように、ボスによって上側台石を下側台石の上面に連結固定する構造の場合には、ある程度の横揺れには耐えることが可能である。しかしながら、大きな外力が横方向から作用した場合は倒壊するおそれがある。特に、直下型の地震が発生した場合には、縦揺れによって上下方向に上側台石が揺れて、ボスによる連結が簡単に外れる危険性が高い。
【０００５】
本考案の課題は、このような点に鑑みて、直下型の地震に対しても倒壊するおそれのない耐震構造を備えた墓石（洋型墓石、墓誌）を提案することにある。
【課題を解決するための手段】
【０００６】
上記の課題を解決するために、本考案の耐震式の墓石は、
地盤上に配置した下側台石と、この下側台石の上面に載せた上側台石とを有し、
前記上側台石は、前後方向の厚さ寸法に比べて左右方向の幅寸法および上下方向の高さ寸法が大きい形状の台石であり、
前記下側台石には、その左右方向に離れた部位において、当該下側台石の底面から上面に垂直に延びている少なくとも２本の下側垂直貫通穴が形成されており、
前記上側台石には、前記下側垂直貫通穴のそれぞれに対応する部位において、当該上側台石の底面から上面に向かって、当該上側台石の高さ寸法の少なくとも２／３の長さを備えた垂直に延びる上側垂直穴が形成されており、
前記下側台石の底面から前記上側垂直穴の穴底に至る長さの金属棒が、当該下側台石の底面から前記下側垂直貫通穴を貫通して前記上側垂直穴に差し込まれており、
前記金属棒の下端部には、前記下側垂直貫通穴の穴径よりも大きな金属部材が取り付けられ、この金属部材が前記下側台石の底面に当接していることを特徴としている。
【０００７】
一般的な墓誌では、前記下側台石および前記上側台石は左右対称な形状をしている。この場合、前記下側垂直貫通穴を左右対称の位置に形成された同一内径、同一長さの円形穴とし、前記上側垂直穴を同一内径、同一長さの円形穴とし、前記金属棒を同一太さ、同一長さの円柱状のものとすることができる。
【０００８】
ここで、墓誌には、前記下側台石と前記上側台石の間には中間台石が配置された三段構造となっているものがある。この場合には、前記中間台石において、前記下側垂直貫通穴に対応する部位に、当該中間台石の底面から上に貫通する中間垂直貫通穴を形成し、前記金属棒を、前記中間垂直貫通穴に貫通する状態に配置すればよい。
【０００９】
次に、強度、耐久性などの点から、前記金属棒はステンレススチール製の丸棒であることが望ましい。
【００１０】
さらに、前記下側台石の上面と前記上側台石の底面の間を、モルタル、接着剤などのシール材によってシールしておくことが望ましい。中間台石がある場合には、下側台石の上面と中間台石の底面の間、および、中間台石の上面と上側台石の底面の間をシール材によってシールしておくことが望ましい。
【考案の効果】
【００１１】
本考案の墓石（洋型墓石、墓誌）では、下側台石の底面から当該下側台石を貫通して上側台石の２／３以上に亘って複数本の金属棒が所定の間隔で差し込まれている。したがって、地震時における横揺れ、縦揺れによって上側台石が倒れてしまうことを防止できる。
【図面の簡単な説明】
【００１２】
【図１】本考案を適用した洋型墓石の例を示す斜視図である。
【図２】図１の洋型墓石を半割にして内部構造が見える状態で示す説明図である。
【図３】本考案を適用した墓誌の例を半割にして内部構造が見える状態で示す説明図である。
【考案を実施するための形態】
【００１３】
以下に、図面を参照して本考案を適用した洋型墓石および墓誌の実施の形態を説明する。
【００１４】
（実施の形態１）
図１に示すように、本実施の形態に係る洋型墓石１は、地盤Ｇ上に水平に設置した下側台石２と、この下側台石２の上面２２に載せた上側台石３とを備え、全体として左右対称な形状をしている。下側台石２は横置き状態の偏平な直方体形状のものであり、上下方向の高さ寸法が、左右方向の幅寸法および前後方向の奥行き寸法に比べて小さい。上側台石３は、縦置き状態の偏平な直方体形状のものであり、前後方向の奥行き寸法に比べて左右方向の幅寸法および上下方向の高さ寸法が大きい形状の台石である。
【００１５】
下側台石２には、その前後方向の中央における左右対称な部位に、その底面２１から上面２２に垂直に延びている第１下側垂直貫通穴２３および第２下側垂直貫通穴２４が形成されている。これら第１、第２下側垂直貫通穴２３、２４は同一内径の円形貫通穴である。上側台石３には、第１、第２下側垂直貫通穴２３、２４のそれぞれに対応する部位において、当該上側台石３の底面３１から上面３２に向かって垂直に延びる第１上側垂直穴３３および第２上側垂直穴３４が形成されている。これら第１、第２上側垂直穴３３、３４は、第１、第２下側垂直貫通穴２３、２４と同一内径の円形穴であり、これらの長さは、下面３１から、当該上側台石３の高さ寸法の略２／３となっている。
【００１６】
次に、下側台石２の底面２１から第１上側垂直穴３３の穴底３３ｂに至る長さの第１ステンレススチール棒４が、当該下側台石２の底面２１から第１下側垂直貫通穴２３を貫通して第１上側垂直穴３３に差し込まれている。同様に、下側台石２の底面２１から第２上側垂直穴３４の穴底３４ｂに至る長さの第２ステンレススチール棒５が、当該下側台石２の底面２１から第２下側垂直貫通穴２４を貫通して第２上側垂直穴３４に差し込まれている。ステンレススチール棒４、５の太さは、穴２３、２４、３３、３４に嵌め込み可能な大きな、あるいは、僅かに小さな大きさに設定されている。
【００１７】
第１ステンレススチール棒４の下端部４ａには、第１下側垂直貫通穴２３の穴開口部２３ａよりも大きな寸法の棒状のステンレススチール製の第１横棒６が直角に取り付けられている。この第１横棒６が下側台石２の底面２１における穴開口部２３ａを取り囲む部分に下側から当接している。同様に、第２ステンレススチール棒５の下端部５ａにも、第２下側垂直貫通穴２４の穴開口部２４ａよりも大きな寸法の棒状のステンレススチール製の第２横棒７が直角に取り付けられている。この第２横棒７が下側台石２の底面２１に下側から当接している。
【００１８】
一方、下側台石２の上面２２と上側台石３の底面３１の間には、シール材、例えば、モルタル８が充填されている。例えば、上側台石３の底面３１の外周縁に沿ってモルタル８が充填されている。
【００１９】
このように構成した墓石１においては、２本のステンレススチール棒４、５によって、上側台石３の倒壊が防止される。すなわち、直下型の地震が発生した場合において、上側台石３が下側台石２の上面から浮き上がったとしても２本のステンレススチール棒４、５から外れることが無いので、上側台石３が倒れてしまうことを防止できる。
【００２０】
なお、本例では、２本のステンレススチール棒４、５を用いているが、広幅の上側台石３の場合には、幅方向の中央に１本、左右に１本ずつ、合計で３本のステンレススチール棒を配置してもよい。勿論、４本以上のステンレススチール棒を配置することも可能である。また、ステンレススチール棒の代わりに、他の金属棒を用いることも可能である。さらに、ステンレススチール棒の下端部に取り付ける横棒は棒状の部材でなくて良く、例えば、円盤状の金属部品でもよい。また、下端部に雄ねじを付けて、ナットをねじ込み固定しておくことも可能である。
【００２１】
次に、下側台石２、上側台石３の形状は直方体形状に限定されるものではなく、それ以外の形状のものであってもよい。例えば、左右において高さ寸法が相違する場合においては、第１上側垂直穴３３と第２上側垂直穴３４の長さ寸法を、それぞれが形成されている部位における上側台石の高さ寸法に応じて変更すればよい。
【００２２】
（実施の形態２）
次に、図３は本考案を適用した墓誌を半割にして内部構造が分かる状態で示す説明図である。墓誌１００は、地盤Ｇ上に水平に設置した下側台石１２０と、この下側台石１２０の上面１２２の左右に載せた中間台石１１０と、左右の中間台石１１０の上面１１２に載せた上側台石１３０とを備え、全体として左右対称な形状をしている。下側台石１２０は横置き状態の偏平な直方体形状のものであり、上下方向の高さ寸法および前後の奥行き寸法が左右方向の幅寸法に比べて小さい。中間台石１１０はほぼ立方体形状のものである。上側台石１３０は、縦置き状態の偏平な直方体形状のものであり、前後方向の奥行き寸法に比べて左右方向の幅寸法および上下方向の高さ寸法が大きい形状の台石である。
【００２３】
下側台石１２０には、その前後方向の中央における左右対称な部位に、その底面１２１から上面１２２に垂直に延びている第１下側垂直貫通穴１２３および第２下側垂直貫通穴１２４が形成されている。これら第１、第２下側垂直貫通穴１２３、１２４は同一内径の円形貫通穴である。
【００２４】
中間台石１１０のそれぞれの中心には、第１、第２下側垂直貫通穴１２３、１２４に対応して、その底面１１１から上面１１２まで垂直に貫通して延びる第１中間垂直貫通穴１１３、第２中間垂直貫通穴１１４が形成されている。これら第１、第２中間垂直貫通穴１１３、１１４は、第１、第２下側垂直貫通穴１２３、１２４と同一内径の円形穴である。
【００２５】
上側台石１３０にも、第１、第２中間垂直貫通穴１１３、１１４のそれぞれに対応する部位において、当該上側台石１３０の底面１３１から上面１３２に向かって垂直に延びる第１上側垂直穴１３３および第２上側垂直穴１３４が形成されている。これら第１、第２上側垂直穴１３３、１３４は、第１、第２下側垂直貫通穴１２３、１２４と同一内径の円形穴であり、これらの長さは、下面１３１から、当該上側台石１３０の高さ寸法の略１／２となっている。
【００２６】
次に、下側台石１２０の底面１２１から第１上側垂直穴１３３の穴底１３３ｂに至る長さの第１ステンレススチール棒１４０が、当該下側台石１２０の底面１２１から第１下側垂直貫通穴１２３、第１中間垂直貫通穴１１３を貫通して第１上側垂直穴１３３に差し込まれている。同様に、下側台石１２０の底面１２１から第２上側垂直穴１３４の穴底１３４ｂに至る長さの第２ステンレススチール棒１５０が、当該下側台石１２０の底面１２１から第２下側垂直貫通穴１２４、第２中間垂直貫通穴１１４を貫通して第２上側垂直穴１３４に差し込まれている。ステンレススチール棒１４０、１５０の太さは、穴１２３、１１３、１２４、１３３、１１４、１３４に嵌め込み可能な大きな、あるいは、僅かに小さな大きさに設定されている。
【００２７】
第１ステンレススチール棒１４０の下端部１４０ａには、第１下側垂直貫通穴１２３の穴開口部１２３ａよりも大きな寸法の棒状のステンレススチール製の第１横棒１６０が直角に取り付けられている。この第１横棒１６０が下側台石１２０の底面１２１における穴開口部１２３ａを取り囲む部分に下側から当接している。同様に、第２ステンレススチール棒１５０の下端部１５０ａにも、第２下側垂直貫通穴１２４の穴開口部１２４ａよりも大きな寸法の棒状のステンレススチール製の第２横棒１７０が直角に取り付けられている。この第２横棒１７０が下側台石１２０の底面１２１に下側から当接している。
【００２８】
一方、下側台石１２０の上面１２２と各中間台石１１０の底面１１１の間には、シール材、例えば、モルタル１８０が充填されている。また、各中間台石１１０の上面１１２と、上側台石１３０の底面１３１の間にもシール材が充填されている。例えば、各中間台石１１０、上側台石１３０の底面１１１、上面１１２の外周縁に沿ってモルタル１８０が充填されている。
【００２９】
この構成の墓誌１００において、２本のステンレススチール棒によって、地震、特に直下型の地震が発生して上側台石が上下に揺れても、中間台石から外れて倒れることが無い。
【符号の説明】
【００３０】
１    洋型墓石
２    下側台石
３    上側台石
４    第１ステンレススチール棒
５    第２ステンレススチール棒
６    第１横棒
７    第２横棒
８    モルタル
２１、３１  底面
２２、３２  上面
２３  第１下側垂直貫通穴
２４  第２下側垂直貫通穴
３３  第１上側垂直穴
３４  第２上側垂直穴
１００  墓誌
１１０  中間台石
１２０  下側台石
１３０  上側台石
１４０  第１ステンレススチール棒
１５０  第２ステンレススチール棒
１６０  第１横棒
１７０  第２横棒
１８０  モルタル
１１１、１２１、１３１  底面
１１２、１２２、１３２  上面
１１３  第１中間垂直貫通穴
１１４  第２中間垂直貫通穴
１２３  第１下側垂直貫通穴
１２４  第２下側垂直貫通穴
１３３  第１上側垂直穴
１３４  第２上側垂直穴
【図１】
0003159823.tif 000003
【図２】
0003159823.tif 000004
【図３】
0003159823.tif 000005